(57)【特許請求の範囲】
【請求項１】
長さ方向に沿う案内長孔及びそれに連続させた挿通孔を有する連結杆を扉又は扉枠の室内側に一方の取付部材を介して枢着し、前記連結杆を選択的に係合させかつ案内させるため、先端に係合頭部を有する受杆を扉枠又は扉の室内側に他方の取付部材を介して突設させて成るドアガードにおいて、他方の取付部材を中空の収容枠として形成し、中空部に受杆を突出入可能に装着すると共に、受杆に並設したばねにより該受杆を突出方向に付勢させ、また、他方の取付部材と受杆との間に、受杆の中空部からの抜出しを阻止するストッパ手段及び受杆の収納状態において前記のばねにより中空部の軸線に対し傾斜する受杆を他方の取付部材の開口部近傍で選択的に係止する係脱手段を設け、一方、受杆の係合頭部の内向き面及びその面に対向する連結杆の先端側対向面のそれぞれに、水平縦断面がＺ字状をなし、互に噛み合うことができる係止部を連結杆の長さ方向で対向させて設けたことを特徴とするドアガードにおける扉の開放状態保持装置。
【発明の詳細な説明】
【０００１】
【産業上の利用分野】
この発明は、ドアガードにおける扉の開放状態保持装置の改良に関する。
【０００２】
【従来の技術】
扉の開放角度を小さく制限して、来訪者の確認や郵便物の受渡しを安全に行えるようにしたドアガード、すなわち、長さ方向に沿う案内長孔及びそれに連続させた挿通孔を有する連結杆を扉又は扉枠の室内側に一方の取付部材を介して枢着し、前記連結杆を選択的に係合させかつ案内させるため、先端に係合頭部を有する受杆を扉枠又は扉の室内側に他方の取付部材を介して突設させて成るドアガードは、例えば実開昭５５−５１９５６号公報等に開示され周知のところである。
【０００３】
また、前記のようなドアガードにおいて、その作用状態で係合頭部に対し係止できるように連結杆の先端部に屈曲部を設けて成る扉の開放状態保持装置は、扉を半開き状態に維持することにより部屋内外の通気を行うものであるが、実公平３−４７００号公報に開示され、同装置もまた公知である。
【０００４】
しかしながら、前記のような従来の扉の開放状態保持装置は、一つには屈曲部の存在により連結杆先端部の厚さが大となり、連結杆の作用時や折畳み状態の不使用時に扉又は扉枠の面から大きく出っ張るので、邪魔になる欠点がある。
【０００５】
また、他の一つには、連結杆の屈曲部における段部は該連結杆の長さ方向とほぼ直角をなして形成してあり、扉開放保持のための受杆との係合時そこが係合頭部に当接させてあるだけなので、連結杆にわずかに触れただけで受杆との係合が解除されてしまう欠点がある。
【０００６】
ドアクローザが扉に併設されているときは、子供がいたずら等で連結杆にちょっと触れただけで、扉開放保持のための屈曲部と係合頭部との係合が解け、連結杆の受杆による案内の下に扉が閉ざされてしまうことになり、扉と扉枠との間に手指を挟んでしまうような問題が生じる。
【０００７】
【発明が解決しようとする課題】
この発明のドアガードにおける扉の開放状態保持装置は、連結杆の厚さを全長に亘って薄くして邪魔にならないようにすること、扉開放保持における連結杆と受杆との係合状態が簡単には外れないようにして安全を図ること、及び連結杆の不使用時係合頭部を含む受杆の突出長さを減じて近くを通る人の邪魔にならないようにすることを目的として提案されたものである。
【０００８】
【課題を解決するための手段】
上記の目的を達成するため、請求項１に記載の発明は、長さ方向に沿う案内長孔及びそれに連続させた挿通孔を有する連結杆を扉又は扉枠の室内側に一方の取付部材を介して枢着し、前記連結杆を選択的に係合させかつ案内させるため、先端に係合頭部を有する受杆を扉枠又は扉の室内側に他方の取付部材を介して突設させて成るドアガードにおいて、他方の取付部材を中空の収容枠として形成し、中空部に受杆を突出入可能に装着すると共に、受杆に並設したばねにより該受杆を突出方向に付勢させ、また、他方の取付部材と受杆との間に、受杆の中空部からの抜出しを阻止するストッパ手段及び受杆の収納状態において前記のばねにより中空部の軸線に対し傾斜する受杆を他方の取付部材の開口部近傍で選択的に係止する係脱手段を設け、一方、受杆の係合頭部の内向き面及びその面に対向する連結杆の先端側対向面のそれぞれに、水平縦断面がＺ字状をなし、互に噛み合うことができる係止部を連結杆の長さ方向で対向させて設けたことを特徴とする。
【０００９】
【作用】
この発明のドアガードにおける扉の開放状態保持装置は、扉と扉枠との間に別途設けられるドアクローザ（図示しない）に併設して使用される。
【００１０】
図１〜図３に示す参考実施例において、通気のため扉Ｄを半開き状態に保持させるためには、ドアガードの作用状態（連結杆１の作用状態）で扉Ｄを図１及び図２で矢印Ｐ方向に押して開放制限角度一杯迄開く。
【００１１】
次いで、受杆２に係合案内されている連結杆１を手でもってその先端を係合頭部２１の内向き面２４に押し当てつつ、扉Ｄを自由にすると扉Ｄはドアクローザによって矢印Ｐとは逆方向にわずかに戻る。
【００１２】
ここに、図３に示すように、係合頭部２１及び連結杆１に対をなして設けた係止部３、３が噛み合うことになり、扉Ｄを半開き状態に保持することにより隙間Ｇを通じて部屋内外の通気が行われる。
【００１３】
扉の開放保持状態を解除させるには、連結杆１を図３で矢印Ｑ方向に手指でやや強く押し、ドアクローザの閉鎖力に抗して水平縦断面がＺ字状の一対の係止部３、３の噛合いを引き離す。
【００１４】
係止部３、３の噛合いを解除した後は、従来のドアガードと同様に、扉Ｄを閉鎖し連結杆１を扉面に向け折り畳めば、ドアガードは、非作用状態（不使用状態）となる。
【００１５】
図４〜図６に示すこの発明の実施例においては、受杆２は他方の取付部材２２（収容枠）の中空部５に対し手指で突出入できるようにしてある。すなわち、ドアガードの使用時には突出させ、ドアガードの不使用時には邪魔にならないように没入させることができる。
【００１６】
突出させてある受杆３を図６で矢印Ｒ方向に押し込むと、大きな付勢力が蓄えられたばね６により受杆２はその軸線を収容枠２２の中空部５内でやや傾斜させるので、その収容枠２２の開口部近傍で係脱手段８が自動的に係合作動し、受杆２の収納状態が保持拘束される。
【００１７】
受杆２を使用時の突出状態（図４及び図５参照）にするためには、図６で矢印Ｓ方向に軽く押すと、係脱手段８が解かれて受杆２はばね６の付勢力によって突出状態となる。この際の受杆２の突出量はストッパ手段７によって定められる。
【００１８】
【実施例】
以下、図面に示す２つの実施例に基づいてこの発明について説明する。
図１〜図３は、従来のドアガードとの対比を明らかにすると共に、この発明の作用及び構成の説明を容易にするための参考実施例を、図４〜図６はこの発明の実施例をそれぞれ示す。
【００１９】
本発明の装置は、外開きの扉及び内開きの扉のいずれに対しても採用できるが、図示の２つの実施例の装置はいずれも外開き扉に対して用いた例を示した。
【００２０】
また、この発明の装置は、扉に対して別途設けられるドアクローザ（図示しない）と併設することを原則とする。
【００２１】
参考実施例において、符号Ｄは扉、Ｆは扉枠、Ｇは半開きにされた扉Ｄと扉枠Ｆとの間の隙間をそれぞれ示す。
【００２２】
長さ方向に沿う案内長孔１１及びそれに連続させた案内長孔１１よりも幅広の挿通孔１２を有する連結杆１は、例えば正面形がＵ字状に形成され、扉Ｄ又は扉枠Ｆの室内側に一方の取付部材１３を介して折畳み可能に枢着されている。符号１４は連結杆１と取付部材１３との間の枢軸、１５は取付部材１３を扉Ｄに固定するための止めねじである。
【００２３】
前記の連結杆１に選択的に係合する受杆２は、先端に係合頭部２１を有し、扉枠Ｆ又は扉Ｄの室内側に他方の取付部材２２を介して突設されている。２３は取付部材２２を扉枠Ｆに固定するための止めねじである。
【００２４】
連結杆１は不使用時扉Ｄ又は扉枠Ｆの表面に折り畳まれている。扉Ｄを閉鎖した状態でその連結杆１を揺動起伏させると、係合頭部２１を含む受杆２が幅広の挿通孔１２を通じて嵌め外しされ、連結杆１は作用位置（ドアガードとして作用する位置）又は非作用位置を占めることになる。連結杆１の起伏操作は従来のドアガードと変わるものではない。
【００２５】
次に、この発明の主要部の一つである対をなす係止部３、３について説明する。係止部３、３は、受杆２の係合頭部２１の内向き面２４及びドアガードの作用状態においてその面２４に対向する連結杆１の先端側対向面１６のそれぞれに、水平縦断面がＺ字状をなし、互に係脱可能に噛み合うことができるように連結杆１の長さ方向で対向させて設けてある。
【００２６】
各係止部３の形状について言い換えると、係止部３は、連結杆１の長さ方向とほぼ直角をなす突条に形成してあり、該突条３の先端の横断面形は鋭角をなすように形成してある。
【００２７】
係合頭部２１の正面形はＤ字状にすると、係止部３を形成するのに有利であるが、その形状に限るものではない。係合頭部２１の形状は任意に決めることができる。
【００２８】
図４〜図６はこの発明の一実施例を示す。この実施例において参考実施例と同一の符号で指し示す部材は等効の部材であるからず４乃至図６に示す実施例については、参考実施例と相違している構成のみについて説明する。
【００２９】
扉枠Ｆ又は扉Ｄの室内側に固定される他方の取付部材２２は、この例では、中空の収容枠として形成される。
【００３０】
図示例の取付部材２２は、中空の本体４１、本体４１の口部に一体に設けたフランジ部４２及び蓋板４３で形成され、フランジ部４２と蓋板４３とは例えばかしめ付けにより固着される。取付部材２２（収容枠）は、扉枠Ｆ又は扉Ｄに形成した掘込み部に嵌め込み、止めねじ２３等で固定する。
【００３１】
取付部材２２（収容枠）の中空部５は、例えば横断面矩形の第１室５１、それに並設した例えば横断面円形の第２室５２及び両室５１、５２を連通させる軸線方向のスリット５３とから成る。
【００３２】
前記の第１室５１には基端側に段部２５を有する例えば横断面矩形の受杆２をやや緩めにして斜めに突出入できるように装着し、第２室５２には受杆２を突出方向に付勢させるための例えば圧縮ばね６を装着する。
【００３３】
圧縮ばね６は、その両端部を収容枠本体４１の底部と受杆２にその長さ方向とほぼ直角に植設したピンその他の押え片７１の一端との間で挟むようにして保持され、受杆２を外向きに付勢する。中空部５の第１室５１から第２室５２に延出する押え片７１の一端はスリット５３を貫通させてある。
【００３４】
受杆２の中空部５からの抜出しは、図５に明示するように、他方の取付部材２２の一部をなす蓋板４３の開口部４４の周辺部に押え片７１の両端部が当接することにより阻止される。
【００３５】
この実施例では、押え片７１が蓋板４３と共にストッパ手段７を構成する。なお、ストッパ手段７の一部をなす押え片７１はばね受けを兼ねているが、各別に設けてもよいことは勿論である。
【００３６】
前記の収容枠２２と受杆２との間には、例えば、蓋板４３における開口部４４部分に一体に設けた係止突片８１と受杆２の係合頭部２１の真後に位置する部分に設けた係入孔８２とから成る係脱手段８が備えてある。
【００３７】
この係脱手段８は、受杆２が手指で図６の矢印Ｒ方向に押されて取付部材２２（収容枠）の中空部５にばね６の付勢力に抗して収納された際、受杆２の一側方に並設されたばね６に大きな付勢力が蓄えられていることから、第１室５１の軸線に対し傾斜する受杆２を自動的に係止するものである。
【００３８】
係脱手段８による受杆２の係合状態を解くには、図６の矢印Ｓ方向に係合頭部２１を軽く押せばよい。係合が解かれると、受杆２はばね６の付勢により自動的に突出する。
【００３９】
受杆２の段部２５は、中空部５における受杆２の摺動を円滑にするために設けたものである。また、段部２５に設けた長さ方向の溝２６は、取付部材２２（収容枠）に対し受杆２を組み付ける際に蓋板４３の係止突片８１が邪魔になるのを防ぐための逃げである。
【００４０】
なお、連結杆１の折り畳み位置及び起立位置を適正に定めるため、該連結杆１と一方の取付部材１３との間には、図示はしないが、位置決め用クリック手段及び／又はストッパを設けることができる。
【００４１】
【発明の効果】
以上に説明したこの発明のドアガードにおける扉の開放状態保持装置によれば、扉を開放状態に保持させた場合に、子供等が連結杆をその長さ方向と直角をなす方向に方向に小さな力で押した位では簡単に外れないようにしたので、開放状態を安定させて維持できるのみならず、子供等が扉に手指を挟む事故を防止できる効果を奏する。
【００４２】
また、この発明によれば、扉の開放状態保持機能を有しているに関わらず、連結杆の厚さを薄くできるので、空間の限られた扉近傍においてその出張りを最小限に留めることができる利点がある。
【００４３】
更にまた、ドアガードの不使用時に中空の収容枠内にその受杆を没入させておくことができるので、近くを通る人が体をぶつけたり衣服を引掛けたりすることがなく安全であるなどの効果を奏する。
【図面の簡単な説明】
【図１】参考実施例におけるドアガード作用状態を扉を少し開いて示す正面図。
【図２】その平面図。
【図３】参考実施例において扉を開放状態に保持させて示した平面図。
【図４】この発明の一実施例において扉を開放状態に保持させて示した平面図。
【図５】図４のＶ−Ｖ線による断面図。
【図６】この発明の一実施例の収納状態にある受杆の部分縦断側面図。
【符号の説明】
Ｄ  扉
Ｆ  扉枠
Ｇ  隙間
１  連結杆
１１  案内長孔
１２  挿通孔
１３  一方の取付部材
１６  対向面
２  受杆
２１  係合頭部
２２  他方の取付部材
２４  内向面
３  係止部
５  中空部
６  ばね
７  ストッパ手段
８  係脱手段
【図１】
0003540846.tif 000002
【図２】
0003540846.tif 000003
【図３】
0003540846.tif 000004
【図４】
0003540846.tif 000005
【図５】
0003540846.tif 000006
【図６】
0003540846.tif 000007